(57)【特許請求の範囲】
【請求項１】
溶融はんだの加圧供給を受ける溶融はんだ被供給部と、
前記溶融はんだ被供給部に嵌合された調整板と、
前記溶融はんだ被供給部上で前記調整板に着脱可能に固定された溶融はんだ噴流用のノズルと、
前記溶融はんだ被供給部に対する前記調整板の上下方向位置および傾斜角を調整する調整機構と、
前記溶融はんだ被供給部と前記調整板との嵌合隙間に介在された弾力性を有する漏れ防止体とを備え、
前記調整機構は、
前記ノズルの一側および他側で前記調整板にそれぞれ上下方向に螺合された高さ調整ねじと、
これらの高さ調整ねじの下端をそれぞれ定位置の部材に押圧して固定する固定ねじと
を具備したことを特徴とする溶融はんだ噴流装置。
【発明の詳細な説明】
【０００１】
【発明の属する技術分野】
本発明は、噴流式はんだ槽の溶融はんだ噴流装置に関するものである。
【０００２】
【従来の技術】
特公昭５９−５３９２号公報に示されるように、従来の溶融はんだ噴流装置は、ポンプから溶融はんだの加圧供給を受ける溶融はんだ被供給部に溶融はんだ噴流用のノズルを直接固定している。
【０００３】
【発明が解決しようとする課題】
この種のノズルは、ノズル上で搬送されるワークに対するレベル調整が容易でない。例えば、ワークの搬送レベルや搬送角度が変更された場合や、メンテナンスでノズル脱着作業を繰り返していると、ノズルのレベルに狂いが生じやすく、良好なはんだ付けを継続する上で障害となっている。
【０００４】
本発明は、このような点に鑑みなされたもので、溶融はんだ噴流用のノズルのレベル出しを容易に行えるとともに、レベル再現性を保持できる溶融はんだ噴流装置を提供することを目的とするものである。
【０００５】
【課題を解決するための手段】
請求項１に記載された発明は、溶融はんだの加圧供給を受ける溶融はんだ被供給部と、前記溶融はんだ被供給部に嵌合された調整板と、前記溶融はんだ被供給部上で前記調整板に着脱可能に固定された溶融はんだ噴流用のノズルと、前記溶融はんだ被供給部に対する前記調整板の上下方向位置および傾斜角を調整する調整機構と、前記溶融はんだ被供給部と前記調整板との嵌合隙間に介在された弾力性を有する漏れ防止体とを備え、前記調整機構は、前記ノズルの一側および他側で前記調整板にそれぞれ上下方向に螺合された高さ調整ねじと、これらの高さ調整ねじの下端をそれぞれ定位置の部材に押圧して固定する固定ねじとを具備した溶融はんだ噴流装置である。
【０００６】
そして、前記調整機構により前記溶融はんだ被供給部に対する前記調整板の上下方向位置や傾斜角を調整することにより、前記ノズルの上下方向位置や傾斜角を調整する。このとき、弾力性を有する前記漏れ防止体により前記溶融はんだ被供給部と前記調整板との嵌合隙間からのはんだ漏れを防止しながら、その隙間にて前記ノズルの傾斜角調整などが可能となる。特に、前記ノズルの一側および他側の前記高さ調整ねじで前記調整板の取付高さをそれぞれ調整することにより、前記ノズルの一側から搬入され他側より搬出されるワークの搬送角度の変更に対応する。前記固定ねじの脱着によりノズル脱着作業を繰り返しても、前記高さ調整ねじを動かさない限り前記ノズルのレベル再現性を確保できる。
【０００７】
【発明の実施の形態】
以下、本発明の一実施形態を図１を参照しながら、また他の実施形態を図２を参照しながらそれぞれ説明する。
【０００８】
図１に示されるように、はんだ槽11の内部に図示されないヒータにより溶融されたはんだ、すなわち溶融はんだ12が収容されている。はんだ槽11内には、例えば回転羽根により溶融はんだを吸込んで吐出するインペラ形のポンプ13が設けられている。
【０００９】
はんだ槽11内には、このポンプ13から溶融はんだの加圧供給を受ける溶融はんだ被供給部としての連通管14が配設されている。この連通管14の上部は上下方向にストレートに形成されている。
【００１０】
この連通管14の上部には、調整板15の中央部に形成された筒部16が上下動自在に嵌合されている。この連通管14の上部と調整板15の筒部16との間には、ワーク搬入側およびワーク搬出側にて十分な嵌合隙間17が設けられ、この両側の嵌合隙間17には、弾力性を有する漏れ防止体18がそれぞれ介在されている。
【００１１】
図示された漏れ防止体18は、ほぼへ字形に折曲された一対の板ばねであり、調整板15の筒部16の内壁面にねじなどにより固定された取付部21と、連通管14側に折曲された絞り部22と、連通管14と接触するシール部23と、シール部23を介し折返されて下向きに拡開形成された開口部24とが、順次折曲成形されている。
【００１２】
この漏れ防止体18は、板ばねだけでなく、耐熱ゴムなどによって代用しても良い。
【００１３】
調整板15は、前記筒部16の上側に水平のノズル取付部25が一体に設けられ、このノズル取付部25に垂直板部26を介して水平の調整機構取付部27が一体に設けられている。
【００１４】
調整板15のノズル取付部25には連通管14と同軸上にて溶融はんだ噴流用のノズル28がねじ29により着脱可能に固定されている。このノズル28の上面開口31には多孔板32が取付けられ、この多孔板32に穿設されている多数の孔33より突起状はんだ波34が不規則に噴流される。
【００１５】
はんだ槽11の上側には、多孔板32の上側で部品実装基板などのワークＷを搬送するためのコンベヤ35が配設されている。このコンベヤ35は、細長く配設された一対の無端チェンから突設された搬送爪の間にワークＷを挟持して搬送する。
【００１６】
調整板15のノズル取付部25よりワーク搬入側およびワーク搬出側に位置する調整機構取付部27には、連通管14に対する調整板15の上下方向位置および傾斜角を調整する調整機構36がそれぞれ設けられている。
【００１７】
これらの調整機構36は、調整板15の各調整機構取付部27にそれぞれ上下方向に螺合された高さ調整ねじ37と、これらの高さ調整ねじ37の下端をそれぞれはんだ槽11の内面に一体に取付けられた定位置の部材としての受け板38に押圧して固定する固定ねじ39とを具備したものである。
【００１８】
高さ調整ねじ37は、ボックスドライバなどの工具により回転操作される６角凸部41をねじ上端部に有し、また、固定ねじ39は、ボックスドライバなどの工具により回転操作される６角頭部42を調整板15の調整機構取付部27に係合し、ねじ軸部を受け板38に螺合する。
【００１９】
次に、この図１に示された実施形態の作用を説明する。
【００２０】
調整機構36の固定ねじ39を緩めておいて、高さ調整ねじ37の回動により連通管14に対する調整板15の上下方向位置や傾斜角を調整し、最後に固定ねじ39を締付けて、高さ調整ねじ37による調整状態を固定することにより、ノズル28の上下方向位置や傾斜角を調整する。
【００２１】
例えば、ノズル28のワーク搬入側およびワーク搬出側の高さ調整ねじ37を等しく回動して、調整板15のワーク搬入側およびワーク搬出側の取付高さをそれぞれ等しく上下方向に調整すると、ノズル28を上下方向のみに移動調整し、多孔板32とワークＷとの離間距離を調整することができる。
【００２２】
この場合、弾力性を有する漏れ防止体18のシール部23が連通管14の外面で摺動しながら、連通管14と調整板15の筒部16との嵌合隙間17からのはんだ漏れを防止する。漏れ防止体18の絞り部22および開口部24の傾斜形状は、シール部23が連通管14の外面で摺動する動きを円滑なものにする。
【００２３】
一方、ノズル28のワーク搬入側およびワーク搬出側で高さ調整ねじ37の回動量を相違させて、調整板15のワーク搬入側およびワーク搬出側で調整機構取付部27の上下方向調整量を相違させることにより、ノズル28および多孔板32の傾斜角を調整することができる。
【００２４】
この場合、弾力性を有する漏れ防止体18は、その絞り部22が連通管14から押圧力を受けて自在に変形するとともに、そのシール部23が常に連通管14の外面と接触して連通管14と調整板15の筒部16との嵌合隙間17からのはんだ漏れを防止するから、その嵌合隙間17の範囲内でノズル28および多孔板32の傾斜角を調整することができる。
【００２５】
このため、ノズル28の右側から搬入され左側より搬出されるワークＷの搬送角度が変更された場合でも、その変更に容易に対応できる。しかも、メンテナンスなどで固定ねじ39の脱着によりノズル脱着作業を繰り返しても、高さ調整ねじ37を動かさない限りノズル28のレベル再現性を確保できる。
【００２６】
次に、図２は、本発明を電磁誘導ポンプ式はんだ槽に適用した例である。なお、この図において、図１と同様の部分には同一符号を付して、その説明を省略する。
【００２７】
ベース51上に一体に設けられたフレーム52によりはんだ槽11が支持され、このはんだ槽11のワーク搬入側およびワーク搬出側に電磁誘導ポンプ53，54がそれぞれ設けられている。
【００２８】
これらの電磁誘導ポンプ53，54は、はんだ槽11のワーク搬入側およびワーク搬出側に設けられた側面凹部の縦板部55の外側面に沿って上下方向に、多数の誘導コイル56の巻回されたＥ形積層鉄心からなる一次鉄心57が縦板部55に密着されて固定され、一方、各縦板部55の内側に、溶融はんだ上昇間隙58を介して上下方向に、Ｉ形積層鉄心からなる二次鉄心59がそれぞれ配置されている。
【００２９】
二次鉄心59の下端部には吸込口61が設けられ、二次鉄心59の上端部には溶融はんだ被供給部としてのノズル取付台部62が一体に設けられ、このノズル取付台部62にて溶融はんだ上昇間隙58の吐出口63が開口され、またノズル取付台部62にて上下方向にストレートに形成された外側部62a に弾力性を有する漏れ防止体18を介し調整板15a ，15b の筒部16が嵌合され、この調整板15a ，15b を介して一次ノズル64および二次ノズル65がそれぞれ取付けられている。
【００３０】
ノズル取付台部62の外側部62a と調整板15a ，15b の筒部16との嵌合隙間17は、筒部16に取付けられた漏れ防止体18により塞がれている。
【００３１】
一次ノズル64は、その上面開口に多孔板32を有し、この多孔板32を経て多数の不規則はんだ波を噴流する。二次ノズル65は、ワーク搬送方向と対向する方向に溶融はんだを案内するフィン66を有する。
【００３２】
一次ノズル64の調整板15a は、はんだ槽11のワーク搬入側に一体化された受け板38a と、はんだ槽11の中央部に一体化された受け板38b との間に、また、二次ノズル65の調整板15b は、はんだ槽11の中央部に一体化された受け板38b と、はんだ槽11のワーク搬出側に一体化された受け板38c との間に、それぞれ調整機構36の高さ調整ねじ37および固定ねじ39により上下方向位置および傾斜角を調整できるように設けられている点は、図１のものと同様である。
【００３３】
はんだ槽11の中央部には、両側の電磁誘導ポンプ53，54に共通の、はんだ溶融用のヒータ67が上下方向に配置されている。このヒータ67はワーク移送方向（図２紙面に対し垂直方向）に長尺のシーズヒータである。
【００３４】
次に、この図２に示された実施形態の作用を説明する。
【００３５】
電磁誘導ポンプ53，54は、溶融はんだ上昇間隙58に沿って上下方向に配列した誘導コイル56に３相交流などの位相のずれた交流電流を供給することにより、溶融はんだ上昇間隙58内に移動磁界を生じさせ、この溶融はんだ上昇間隙58内の導電性溶融はんだに電磁誘導による起電力を生じさせ、溶融はんだの起電力による電流が移動磁界の磁束の中で流れることにより、溶融はんだ上昇間隙58内の溶融はんだに上方への推力を発生させ、溶融はんだを上昇移動させる。
【００３６】
これにより、共通のヒータ67により溶融した溶融はんだは、各々の電磁誘導ポンプ53，54によりそれぞれの吸込口61から吸込まれ、はんだ槽11の縦板部55に沿って溶融はんだ上昇間隙58を上昇し、それぞれの吐出口63から吐出し、さらに一次ノズル64および二次ノズル65より噴流して、ワークＷの一次はんだ付けおよび二次はんだ付けをそれぞれ行う。
【００３７】
一次ノズル64および二次ノズル65の上下方向位置および傾斜角の調整方法は、図１のものと同様であるから、その説明は省略する。
【００３８】
【発明の効果】
請求項１記載の発明によれば、溶融はんだの加圧供給を受ける溶融はんだ被供給部に調整板が嵌合され、この調整板の溶融はんだ被供給部上に溶融はんだ噴流用のノズルが固定されたから、調整板の溶融はんだ被供給部に対する上下方向位置および傾斜角を調整機構にて調整することにより、ノズルの上下方向位置や傾斜角を微妙に調整でき、ワークに対するノズルのレベル出しを容易にかつ正確に行える。このとき、溶融はんだ被供給部と調整板との嵌合隙間に弾力性を有する漏れ防止体が介在されたから、この弾力性を有する漏れ防止体により溶融はんだ被供給部と調整板との嵌合隙間からのはんだ漏れを防止し、溶融はんだ被供給部に加圧供給された溶融はんだの噴流エネルギを効率良く生かしながら、前記嵌合隙間にてノズルの傾斜角調整などが可能となる。特に、調整機構が、ノズルの一側および他側で調整板にそれぞれ上下方向に螺合された高さ調整ねじと、これらの高さ調整ねじの下端をそれぞれ定位置の部材に押圧して固定する固定ねじとを具備したから、ノズルの一側および他側の高さ調整ねじで調整板の取付レベルをそれぞれ調整することにより、ノズルの一側から搬入され他側より搬出されるワークの搬送角度の変更に容易に対応できるとともに、固定ねじの脱着によりノズル脱着作業を繰り返しても、高さ調整ねじを動かさない限りノズルのレベル再現性を確保できる。
【図面の簡単な説明】
【図１】  本発明に係る溶融はんだ噴流装置の一実施形態を示す断面図である。
【図２】  本発明に係る溶融はんだ噴流装置の他の実施形態を示す断面図である。
【符号の説明】
12    溶融はんだ
14    溶融はんだ被供給部としての連通管
15    調整板
17    嵌合隙間
18    漏れ防止体
28    ノズル
36    調整機構
37    高さ調整ねじ
39    固定ねじ
【図１】
0003730765.tif 000002
【図２】
0003730765.tif 000003